(57)【要約】【課題】　試料内で発生する電荷移動を検出することにより、コンタクトホールの底面状態の変化を高感度で検出することができるコンタクトホール等のホールの検査装置を実現する。【解決手段】　ウェハ試料３の下部には、ウェハ試料３の裏面に平行に電極プレート７が配置されており、ウェハ試料３の裏面とプレート７との間には空間（この場合の空間は真空）を設けるようにしている。この構成により、ウェハ試料３の裏面が片側電極となり、材料ウェハ３の裏面に対向するプレート７が対極電極となるコンデンサ（静電容量）Ｃｐが形成される。この材料ウェハ３の裏面と電極プレート７との間の空間の距離ｄは、誘電率が１（真空）の容量として積分回路構成に必要な容量が得られるように設定される。【選択図】　　図１
2004146802.tif 000002
【特許請求の範囲】
【請求項１】
　半導体ウェハ試料の表面に荷電粒子ビームを照射し、この照射によって試料に吸収された電子電流を検出し、吸収電子電流に基づいてウェハ試料の検査を行なう半導体ウェハ試料の検査方法において、ウェハ試料の裏面、あるいは、ウェハ試料の周辺に所定の間隔を保って電極を配置し、ウェハ試料と容量結合された電極に流れる電流を検出し、この検出信号に基づいて、半導体ウェハの検査を行なうようにした半導体ウェハ試料の検査方法。
【請求項２】
　多数のホールが形成された半導体ウェハ試料の表面の所定の２次元領域で荷電粒子ビームを走査し、この走査により試料に吸収された電子電流を検出するようにし、吸収電子電流の値によって、ホールを検査する装置において、ウェハ試料の裏面に所定の間隔を保って電極を配置し、電極に流れる電流を検出することによりウェハ試料表面の電荷の変化を検出し、試料表面の電荷の変化に基づき、ホールの開口度を検査するようにした半導体ウェハ試料の検査方法。
【請求項３】
　ウェハ試料からの信号と電極からの信号に基づいて、ミラー積分を行なうようにした請求項１〜２の何れかに記載の半導体ウェハ試料の検査方法。
【請求項４】
　荷電粒子ビームの走査期間の間に荷電粒子ビームのブランキング期間を設け、ブランキング期間にウェハ試料と電極との間に生じた容量をリフレッシュするようにした請求項１〜３の何れかに記載の半導体ウェハ試料の検査方法。
【請求項５】
　荷電粒子ビームの走査期間の間に荷電粒子ビームのブランキング期間を設け、ブランキング期間にミラー積分回路から出力信号の取出しを行うようにした請求項１〜４の何れかに記載の半導体ウェハ試料の検査方法。
【請求項６】
　ウェハ試料に照射される荷電粒子ビームの電流量を測定する測定器を備え、測定された電流量に対するウェハ試料と電極との間に生じた容量の比率を求めるようにした請求項１〜５の何れかに記載の半導体ウェハ試料の検査方法。
【請求項７】
　半導体ウェハ試料の表面に荷電粒子ビームを照射し、この照射によって試料に吸収された電子電流を検出し、吸収電子電流に基づいてウェハ試料の検査を行なう半導体ウェハ試料の検査装置において、ウェハ試料の裏面、あるいは、ウェハ試料の周辺に所定の間隔を保って電極を配置し、ウェハ試料と容量結合された電極に流れる電流を検出する検出回路を有し、この検出回路からの検出信号に基づいて、半導体ウェハの検査を行なうようにした半導体ウェハ試料の検査装置。
【請求項８】
　多数のホールが形成された半導体ウェハ試料の表面の所定の２次元領域で荷電粒子ビームを走査し、この走査により試料に吸収された電子電流を検出するようにし、吸収電子電流の値によって、ホールを検査する装置において、ウェハ試料の裏面に所定の間隔を保って電極を配置し、電極に流れる電流を検出することによりウェハ試料表面の電荷の変化を検出し、試料表面の電荷の変化に基づき、ホールの開口度を検査するようにした半導体ウェハ試料の検査装置。
【請求項９】
　ウェハ試料からの信号と電極からの信号に基づいて、ミラー積分を行なう回路を備えた請求項７〜８の何れかに記載の半導体ウェハ試料の検査装置。
【請求項１０】
　荷電粒子ビームの走査期間の間に荷電粒子ビームのブランキング期間を設け、ブランキング期間にウェハ試料と電極との間に生じた容量をリフレッシュする制御回路を備えた請求項７〜９の何れかに記載の半導体ウェハ試料の検査装置。
【請求項１１】
　荷電粒子ビームの走査期間の間に荷電粒子ビームのブランキング期間を設け、ブランキング期間にミラー積分回路から出力信号の取出しを行う制御回路を備えた請求項７〜１０の何れかに記載の半導体ウェハ試料の検査装置。
【請求項１２】
　ウェハ試料に照射される荷電粒子ビームの電流量を測定する測定器を備え、測定された電流量に対するウェハ試料と電極との間に生じた容量の比率を求めるようにした請求項７〜１１の何れかに記載の半導体ウェハ試料の検査装置。
【請求項１３】
　半導体ウェハ試料の表面に荷電粒子ビームを照射し、この照射によって試料に吸収された電子電流を検出し、吸収電子電流に基づいてウェハ試料の検査を行なう半導体ウェハ試料の検査装置において、ウェハ試料の周辺に所定の間隔を保って電極を配置し、ウェハ試料と電極との間の距離を調整するためのガイドピンを備え、ウェハ試料と容量結合された電極に流れる電流を検出する検出回路を有し、この検出回路からの検出信号に基づいて、半導体ウェハの検査を行なうようにした半導体ウェハ試料の検査装置。
【請求項１４】
　ガイドピンは導電性材料で形成され、試料内の電荷量を直接計測できることを特徴とする請求項１３に記載の半導体ウェハ試料の検査装置。
【請求項１５】
　試料電荷検出器として動作する電極と、ガイドピンとの間に生じる静電容量は、試料と電極との間に生じる静電容量に比べて著しく小さくされていることを特徴とする請求項１３〜１４の何れかに記載の半導体ウェハ試料の検査装置。
【請求項１６】
　試料電荷検出器として動作する電極と、ガイドピンとの間に生じる静電容量は、試料と電極との間に生じる静電容量に比べて１／１０以下に設定されていることを特徴とする請求項１５に記載の半導体ウェハ試料の検査装置。
【請求項１７】
　試料電荷検出器として動作する電極と、電極を保持する保持台との間に生じる静電容量は、試料と電極との間に生じる静電容量に比べて著しく小さくされていることを特徴とする請求項１３〜１４の何れかに記載の半導体ウェハ試料の検査装置。
【請求項１８】
　試料電荷検出器として動作する電極と、電極を保持する保持台との間に生じる静電容量は、試料と電極との間に生じる静電容量に比べて１／１０以下に設定されていることを特徴とする請求項１７に記載の半導体ウェハ試料の検査装置。
【請求項１９】
　試料電荷検出器として動作する電極と、ガイドピンからそれぞれ電流を検出し、２種の検出信号に基づいて、試料の状況を判断する装置を有している請求項１３〜１８の何れかに記載の半導体ウェハ試料の検査装置。
【発明の詳細な説明】
【技術分野】
【０００１】
　本発明は、半導体デバイスの製造過程で形成されるコンタクトホールやビアホール等の開口ホールの開口の程度やその他ウェハ試料の状況を検査する電子ビームなどの荷電粒子ビームを用いた半導体ウェハ試料の検査方法および装置に関する。
【背景技術】
【０００２】
　近年半導体デバイスは、多層化が進んでおり、下部に形成される素子やシリコン基板と上部に形成される素子との間を導通させるため、下部と上部の素子との間にコンタクトホールを形成し、そのコンタクトホールに導電性材料を注入することが行われている。
【０００３】
　このコンタクトホールの形成は、下部の素子やシリコン基板の上に絶縁物質であるアルミナ（ＳiＯ2）のごとき酸化膜を蒸着し、その上にフォトレジストを塗布する。このレジストが塗布された材料を露光装置に装填し、形成すべきコンタクトホールの位置に光を選択的に照射し、その部分を感光させる。
【０００４】
　この感光された材料は現像処理等が行われて感光された部分のレジストが取り除かれ、エッチング工程に材料は移される。エッチング工程では、レジストが取り除かれ、酸化膜が露出された部分がエッチングされ、酸化膜には多数のコンタクトホールが穿たれることになる。この後、デバイス材料の表面に残されたレジストは取り除かれ、形成されたコンタクトホール内には導電性材料が注入される。
【０００５】
　ところで、このコンタクトホールは正確な位置に酸化膜を貫通して形成されなければならない。このホールが完全な孔として形成されていないと、最終的には製作されたデバイスが不良品となり、半導体デバイス製造の歩留まりを悪化させる要因となる。
【０００６】
　このため、コンタクトホールを形成する過程では、コンタクトホールの開口度を検査し、その結果を開口度不良に至った製造過程にフィードバックし、不良原因の解消をする必要がある。このコンタクトホールの開口度を測定するために、測長機能を有した走査電子顕微鏡（ＣＤ―ＳＥＭ）やボルテージコントラストによるコンタクトホール底面のチャージ状況判定法が用いられている。
【０００７】
　ＣＤ―ＳＥＭでは、コンタクトホールが形成されている試料領域において電子ビームを照射し、試料から発生した２次電子を検出している。この検出信号に基づいてコンタクトホールの開口径を測定し、測定された開口径に基づいて、形成されたコンタクトホールの良否の判定を行なうようにしている。
【０００８】
　ボルテージコントラスト法では、コンタクトホールが形成されている試料領域において電子ビームを走査し、試料から発生した２次電子を検出し、この検出信号を映像信号として走査２次電子像を表示させる。この結果、コンタクトホールが正確に形成されているコンタクトホール部分は、電荷のチャージアップが生じないため、画面上黒く表示される。その一方、その底部にレジストが残っているコンタクトホールでは、チャージアップが生じ、画面上ではこのホール部分が明るく表示され、このような現象によりコンタクトホールの良否の判定を行なうことができる。
【０００９】
　このようなＣＤ―ＳＥＭによる形状観察や、ボルテージコントラスト法によるコンタクトホールの開口度の良否判定は、コンタクトホールのアスペクトレシオ（ホールの深さ／ホールの開口径）が小さいとき（１０／１程度）までは、用いることができる。
【００１０】
　ところで、半導体デバイス生産ラインにおいて生産されるチップ内に形成されるコンタクトホール等は、生産技術の進歩により、ホールの開口径が縮小されている。また、その一方、コンタクトホールが形成される酸化膜層の厚さは従来の厚さに比べて数倍となっている。この結果、コンタクトホールにおけるアスペクトレシオの増加を招いている。
【００１１】
　このアスペクトレシオが増大してくると、コンタクトホールの底面で発生する信号を検出し、形状判定するＣＤ―ＳＥＭによる計測では、底面の計測が難しくなってきている。この理由は、試料表面を形成している物質は絶縁体であり、電子ビームのような荷電粒子ビームの照射により、試料表面がマイナスの電荷でチャージアップ現象が引き起こされることによる。
【００１２】
　すなわち、ホール底面からのマイナスの２次電子が、マイナスにチャージアップされた試料表面に形成された電界により、ホールの外側に向かうことが抑制されることによる。その結果、コンタクトホール底面から発生した２次電子を充分検出できなくなることによる。
【００１３】
　このため、ＣＤ―ＳＥＭによる計測では、ホール底面からの信号を検出する目的で、試料表面のチャージを防ぎ、ホール底面からの信号をホール外部に取り出すことが試みられている。しかしながら、アスペクトレシオが大きくなると、試料表面にかかる電界の影響は、ホール内部にまで影響を与えることができなくなる。したがって、ホール底部から発生する信号（例えば２次電子）を検出し、２次元画像としての計測を精度良く実施することが困難となってきた。
【００１４】
　ボルテージコントラスト法によるコンタクトホールの検査では、ホールの底部で生じている事象のうち、開口と非開口を判断するために必要な信号のみを利用し、ホール開口度の判定を行なっている。これは、試料底面の不良、この場合は酸化膜の開口不良が発生した場合には、ホール底面に電荷が蓄積し、チャージ現象を引き起こす。
【００１５】
　このような現象を観察することでホールの不良を判定することができるため、ＣＤ―ＳＥＭに比較してアスペクトレシオの大きな試料においても、ホールの開口／非開口の判断を行なうことは可能である。
【００１６】
　しかしながら、このボルテージコントラスト法では、試料のコンタクトホールの底面でのチャージ現象を観察するため、チャージ現象が発生する前の段階で、ホールの開口／非開口の判断を行なうことは困難である。このことは、ボルテージコントラスト法による検査が、ホール開口の不良検出には向いているが、デバイス製作のプロセス管理（プロセスの揺らぎの検査）には向いていないことを意味する。
【００１７】
　このような状況下で、コンタクトホールが形成されている層を透過しシリコンウエハに流れる電流、すなわち、吸収電流を測定することによってコンタクトホールの開口度の検査を行なうことが試みられている（例えば、特許文献１参照）。
【００１８】
　この吸収電流値は、コンタクトホールの開口度に応じて変化する、すなわち、開口度が良好なコンタクトホールが形成されていれば、吸収電流の値が大きくなる。
【００１９】
　その一方、コンタクトホールの開口度が悪い場合、たとえば、コンタクトホールの底部にエッチングで取り除かれなかったレジストが残っていたり、エッチング工程で充分な深さまでエッチングが行なわれなかった場合には、吸収電流の値が小さくなり、この吸収電流値によって、コンタクトホールの形成が不充分であることを判定することができる。
【００２０】
　ここで、吸収電流値によってコンタクトホール開口度を検査する原理について簡単に説明する。試料物質に電子ビームが照射された場合、それらの相互作用により、２次電子および反射電子等が発生する。電子ビームの加速電圧または物質の材質に依存して、物質から入射電子数以上の電子が物質外へ放出または蓄積されるため、物質中では、放出または蓄積された２次電子等により、ポテンシャルが変化する。
【００２１】
　ここで、試料物質を接地した場合、物質には相互作用により生じた２次電子等の放出量を相殺するように、電子が流れることになる。すなわち、入射電子流をＩp、２次電子流をＩse、反射電子流をＩbe、吸収電流をＩabとすると、これらの電流の関係は次式で表される。
【００２２】
　　Ｉp＝Ｉse＋Ｉbe＋Ｉab
　　Ｉab＝Ｉse−（Ｉbe＋Ｉp）
　上式に示したように、吸収電流Ｉabは、試料に照射される電子ビーム（荷電粒子ビーム）の総量Ｉpに対して、電子ビームが照射された試料面上の物質の原子番号に応じて発生する反射電子量Ｉbeと、試料原子番号と加速電圧に応じて発生する２次電子信号量Ｉseとの差分で表される。
【特許文献１】特開２０００―１７４０７７号公報
【発明の開示】
【発明が解決しようとする課題】
【００２３】
　このような吸収電流を測定してコンタクトホールの開口度を測定する方式では、測定領域に連続して荷電粒子ビーム、例えば電子ビームを照射することで吸収電流を検出する方法、パルス状に荷電粒子ビームを照射することにより吸収電流を測定する方法等が提案されている。
【００２４】
　これらの測定方式で、高感度の計測を実施しようとした場合、検出感度を向上させるためには、検出器系の感度を一定とした場合、照射する荷電粒子ビームの電流量を増加させる必要がある。しかしながら、照射電流を増加させることで、試料表面上でのチャージアップ現象が激しくなるため、検出感度を向上させることは困難となる。
【００２５】
　一方、検出感度を向上させる目的で、検出器系感度を向上させようとした場合、試料内に吸収される電流を検出しているため、高感度のＩ−Ｖ変換増幅器が必要となる。Ｉ−Ｖ変換増幅器の感度を向上させるためには、一般的に増幅器に対する帰還抵抗値を大きくするが、これに伴い、検出器および構成回路周辺に存在する容量成分の影響が増加し、結果として、信号検出時間（応答周波数）が遅くなることや、帰還抵抗として用いる抵抗値が大きくなると、温度に対しての変動率が大きくなり、測定安定性を低下させるなどの問題が生じる。
【００２６】
　本発明は、このような点に鑑みてなされたもので、その目的は、試料内で発生する電荷移動を検出することにより、ホールの底面状態の変化など半導体ウェハ試料の状況の検査を高感度、高精度で行なうことができる半導体ウェハ試料の検査方法および装置を実現するにある。
【課題を解決するための手段】
【００２７】
　請求項１に記載の発明に基づく半導体ウェハ試料の検査方法は、半導体ウェハ試料の表面に荷電粒子ビームを照射し、この照射によって試料に吸収された電子電流を検出し、吸収電子電流に基づいてウェハ試料の検査を行なう半導体ウェハ試料の検査方法において、ウェハ試料の裏面、あるいは、ウェハ試料の周辺に所定の間隔を保って電極を配置し、ウェハ試料と容量結合された電極に流れる電流を検出し、この検出信号に基づいて、半導体ウェハの検査を行なうようにしたことを特徴としている。
【００２８】
　請求項２に記載の発明に基づく半導体ウェハ試料の検査方法は、多数のホールが形成された半導体ウェハ試料の表面の所定の２次元領域で荷電粒子ビームを走査し、この走査により試料に吸収された電子電流を検出するようにし、吸収電子電流の値によって、ホールを検査する装置において、ウェハ試料の裏面に所定の間隔を保って電極を配置し、電極に流れる電流を検出することによりウェハ試料表面の電荷の変化を検出し、試料表面の電荷の変化に基づき、ホールの開口度を検査するようにしたことを特徴としている。
【００２９】
　請求項７に記載の発明に基づく半導体ウェハ試料の検査装置は、半導体ウェハ試料の表面に荷電粒子ビームを照射し、この照射によって試料に吸収された電子電流を検出し、吸収電子電流に基づいてウェハ試料の検査を行なう半導体ウェハ試料の検査装置において、ウェハ試料の裏面、あるいは、ウェハ試料の周辺に所定の間隔を保って電極を配置し、ウェハ試料と容量結合された電極に流れる電流を検出する検出回路を有し、この検出回路からの検出信号に基づいて、半導体ウェハの検査を行なうようにしたことを特徴としている。
【００３０】
　請求項８に記載の発明に基づく半導体ウェハ試料の検査装置は、多数のホールが形成された半導体ウェハ試料の表面の所定の２次元領域で荷電粒子ビームを走査し、この走査により試料に吸収された電子電流を検出するようにし、吸収電子電流の値によって、ホールを検査する装置において、ウェハ試料の裏面に所定の間隔を保って電極を配置し、電極に流れる電流を検出することによりウェハ試料表面の電荷の変化を検出し、試料表面の電荷の変化に基づき、ホールの開口度を検査するようにしたことを特徴としている。
【００３１】
　請求項１３に記載の発明に基づく半導体ウェハ試料の検査装置は、半導体ウェハ試料の表面に荷電粒子ビームを照射し、この照射によって試料に吸収された電子電流を検出し、吸収電子電流に基づいてウェハ試料の検査を行なう半導体ウェハ試料の検査装置において、ウェハ試料の周辺に所定の間隔を保って電極を配置し、ウェハ試料と電極との間の距離を調整するためのガイドピンを備え、ウェハ試料と容量結合された電極に流れる電流を検出する検出回路を有し、この検出回路からの検出信号に基づいて、半導体ウェハの検査を行なうようにしたことを特徴としている。
【発明の効果】
【００３２】
　ウェハ試料の裏面、あるいはその側面に所定の間隔を保って配置された電極と、ウェハ試料の裏面と電極との間に生じた容量を検出する手段とを備えた。この結果、試料内を移動する電荷を試料裏面や試料側面に構成する容量成分で蓄積し、この容量成分を、ミラー積分回路で積分後計測する等の手段により測定するようにしたので、計測のイズを低減することができる。
【００３３】
　また、荷電粒子ビームの走査タイミングと計測タイミングを一致させることにより、計測結果が各走査フィールドごとの結果として判定できる。更に、ミラー積分後計測することで、積分時間を長くすることにより、より小さな電荷変化も精度良く計測することができる。
【００３４】
　更にまた、電荷の計測を試料面への荷電粒子ビーム照射が行われていないタイミング（ブランキング期間）に行なうことで、試料内での信号変化が一定の状況で計測可能となる。そして、計測したデータを照射電流で規格化し、かつ信号発生率データとして比較することで、照射電流量に依存しないデータ比較を実施することができる。
【００３５】
　また、試料電荷検出器として動作する電極と、ガイドピンとの間に生じる静電容量を、試料と電極との間に生じる静電容量に比べて著しく小さくしたこと、あるいは、試料電荷検出器として動作する電極と、電極を保持する保持台との間に生じる静電容量を、試料と電極との間に生じる静電容量に比べて著しく小さくしたので、正確な吸収電流の計測が可能となリ、また、計測値のＳＮ比が向上すると共に、再現性の良い吸収電流の計測が可能となった。
【発明を実施するための最良の形態】
【００３６】
　以下、図面を参照して本発明の実施の形態を詳細に説明する。図１は、本発明に用いられる走査電子顕微鏡の一例の要部を示したもの、図２は、図１の構成に基づく信号検出系や制御系を示した図である。図１において、１は試料室であり、試料室１の上部には電子光学系カラム２が配置されている。カラム２の上部には、図示していないが電子銃が設けられており、この電子銃から発生し加速された電子ビームは、図示していないコンデンサレンズと対物レンズとによって、試料室１内に配置されたウェハ試料３上に集束される。
【００３７】
　電子ビームは試料３上に細く集束されると共に、電子光学カラム２内に設けられた走査コイルによってウェハ試料３上の所定領域を２次元的に走査する。この走査コイルへの走査信号は、コンピュータの如き制御装置によって制御される走査制御回路から供給される。
【００３８】
　ウェハ試料３は、シリコンウェハ４上に絶縁物質である酸化膜５が均一な厚さに蒸着やイオンプレーティング等の成膜技術を用いて形成されている。酸化膜５には、多数のコンタクトホール６が形成されている。このコンタクトホール６は、例えば、次のような工程で形成される。
【００３９】
　まず、酸化膜５の表面にレジストが塗布され、レジストが塗布されたウェハ試料３がステッパーのごとき露光装置にセットされる。この露光装置によってコンタクトホールを形成すべきウェハの所定箇所を露光する。露光が終了したウェハ試料３は、現像され、その後感光した所定箇所のレジストが除去され、感光されていないレジストは、酸化膜５上に残されている。
【００４０】
　この所定箇所のレジストが除去されたウェハ試料３は、プラズマエッチング装置等により、エッチング処理がなされる。このエッチング処理により、露光された所定箇所のみがエッチング処理され、酸化膜５には、多数のコンタクトホール６が形成される。
【００４１】
　上記した工程でコンタクトホール６が形成されたウェハ試料３は、試料室１内に配置される。詳細には図示していないが、ウェハ試料３は、水平、垂直移動、回転等が可能な試料ステージ上に置かれ、ウェハ試料３はウェハ試料を支持する部材とは絶縁される構造となっている。
【００４２】
　ウェハ試料３の下部には、ウェハ試料３の裏面に平行に電極プレート７が配置されており、ウェハ試料３の裏面とプレート７との間には空間（この場合の空間は真空）を設けるようにしている。この構成により、ウェハ試料３の裏面が片側電極となり、材料ウェハ３の裏面に対向するプレート７が対極電極となるコンデンサ（静電容量）Ｃｐが形成される。この材料ウェハ３の裏面と電極プレート７との間の空間の距離ｄは、誘電率が１（真空）の容量として積分回路構成に必要な容量が得られるように設定される。
【００４３】
　ウェハ試料３の端部近傍には、材料に照射される荷電粒子ビーム、例えば電子ビームの電流量を測定するためのファラデーカップ８が設けられている。また、ウェハ試料３の裏面の一部には電極線９が接続されており、この電極線９の他端は後述する前置増幅器に接続される。電極線９は、電極プレート７を貫通して設けられており、電極プレート７と同一の電位を有するシールド１０により保護され、試料裏面検出端子からの電極線９との静電容量を一定に保つ機能を有している。
【００４４】
　このような構成により、ウェハ試料３の表面上で荷電粒子ビームを走査したとき（またはファラデーカップ８による荷電粒子ビームの電流量の測定時）には、試料裏面と電極プレート７との間に設定される容量に対して、電荷を蓄積する機能を提供する。
【００４５】
　次に、図２に基づいて信号検出回路構成について説明する。２０はブランキング電極２１およびブランキングプレート２２からなるブランカーで、ここを通過した荷電粒子ビームが、試料３に照射される荷電粒子ビームとして、走査コイル１１に入射し、２次元走査される。１１は試料３に照射される荷電粒子ビームを２次元走査するための走査コイルであり、走査コイル１１には走査制御回路１２から走査信号が供給される。走査コイル１１による荷電粒子ビーム走査により、コンタクトホールの底部には、底部の状態に応じて容量（コンデンサ）Ｃｃが形成される。
【００４６】
　前置増幅器１３は、試料３の裏面と、電極プレート７との間で構成された容量によるミラー積分回路を構成している。試料３の裏面からの電極線９とファラデーカップ８からの入射電流量信号は、前置増幅器（差動増幅器）１３の＋端子に接続され、電極プレート７と同一の電位を有するシールド１０は前置増幅器１３の出力側に接続される。なお、前置増幅器１３の−端子はこの回路のグラウンドへ接地される。
【００４７】
　更に、ミラー積分回路を構成する容量成分に対しては、積分回路をリセットする目的で、差動増幅器１３の入力端子（＋端子）と差動増幅器１３の出力端子との間にスイッチ回路Ｓ２が設けられる。更にまた、ミラー積分回路を保護する目的で、差動増幅器１３の入力端子を接地するためのスイッチ回路Ｓ１が設けられている。
【００４８】
　上記した走査制御回路１２からのブランキング信号は、前置増幅器制御回路１４に供給される。また、前置増幅器制御回路１４は、ミラー積分回路における積算の開始と停止の制御（スイッチ回路Ｓ２のタイミング制御）、データの読み取りのタイミング制御を行う。
【００４９】
　上記した図１、図２の構成において、シリコンウェハ４上に構成される半導体回路は、回路を構成するウェハと直接的な電気接続は無く、高抵抗もしくは容量により接続されている。また、開口度の測定（ホール開口の良否の判定）を行なうコンタクトホール６を構成する素材は、導電性のない素材が多く用いられている。このことから、コンタクトホール６の検査を行なう場合、コンタクトホール６に荷電粒子ビームを照射するだけでは、荷電粒子ビームの走査に伴って連続的な吸収電流を得ることは難しく、試料表面の帯電を引き起こし、検査が困難となる。
【００５０】
　図１、図２に示した本発明の一実施の形態では、被検査試料が容量結合している点に着目し、電荷の移動量を時間積分により測定することによって目的を達成するようにしている。
【００５１】
　試料表面の帯電を防ぐためには、試料表面に対して照射する荷電粒子ビームの照射時間を短くする必要がある。これを実現するため、荷電粒子ビームは、試料表面上の所定領域を一定時間間隔で２次元走査する。荷電粒子ビームの走査制御系では、所定領域を荷電粒子ビームが２次元走査するごとに走査終了信号（ブランキング信号）を発生する。前置増幅器の制御では、ブランキング信号に基づいてデータの読み取り、リフレッシュタイミングを制御する。
【００５２】
　図３はこのような制御のタイミング図である。図３の（ａ）では、ビーム走査のタイミングを示しており、信号がハイレベルの時に荷電粒子ビームによる試料上の２次元走査が行なわれる。また、信号がローレベルの時は荷電粒子ビームのブランキング期間となる。（ｂ）は、荷電粒子ビームの２次元走査により得られる信号を示しており、荷電粒子ビームがコンタクトホール部を走査した際に、吸収電流が流れる。
【００５３】
　図３（ｃ）は、積算のタイミング、すなわち、スイッチ回路Ｓ２が開放されているタイミングを示している。図から明らかなように、ビーム走査と同期して積算が行なわれる。（ｄ）はデータの読み取りのタイミングを示しており、ビーム走査がブランキングのタイミングでデータの読み取りが行なわれる。（ｅ）は、出力データＶｏを示している。
【００５４】
　前置増幅器１３では、各コンタクトホールはウェハに対して荷電粒子ビームを照射すると、コンタクトホール部に電荷が蓄積され、この電荷変化は、ウェハ裏面と電極プレート７との間に構成される容量に電荷が蓄積される。荷電粒子ビームが２次元走査領域の全面を走査終了すると、荷電粒子ビームはブランキングされる。荷電粒子ビームがブランキングされることにより、コンタクトホールからの新たな電荷の供給がなくなるために、ウェハ裏面に構成される容量部の電荷変化は止まる。
【００５５】
　荷電粒子ビームが２次元走査中、前置増幅器部１３に設けられたスイッチＳ２は、前記したように、開の状態を保つ。このことにより、前置増幅器１３は、ウェハ裏面の容量と差動増幅器とで構成されるミラー積分回路の動作を行う。荷電粒子ビームがブランキング状態に達した時、ミラー積分回路からの出力Ｖｏは安定する。ここで得られる出力電圧Ｖｏがコンタクトホール上を荷電粒子ビームが走査した際の電荷移動量となる。
【００５６】
　前置増幅器制御回路１４は、ブランキング信号を受け取った後、計測系（データ読み取り回路２５）に対し、出力信号Ｖｏを計測するように指示を出す。出力信号Ｖｏの計測が終了した時点で、前置増幅器制御回路１４は、積分器リセット信号を発生させ、リセットスイッチＳ２を閉の状態にすることで、試料裏面容量Ｃｐをリフレッシュさせる。試料裏面容量Ｃｐがリセットされた時点で、荷電粒子ビームの走査再開信号を走査制御回路１２に対して指示する。
【００５７】
　ここで、計測された出力値は、走査時間（計測時間Δｔ）と、試料裏面容量から以下の計算により電流量に変換できる。
【００５８】
　　Ｉin＝―Ｖｏ（Ｃｐ／Δｔ）
　信号検出量は、照射される荷電粒子ビームの電流量により変化するため、正しい計測結果を得るためには、計測前に照射電流量を計測し、照射電流量に対する計測値の比率で比較することが望ましい。また、コンタクトホールでの電荷移動量は、試料から発生する２次電子信号に依存することから、計測結果を得る際には、照射電流と計測値の差分で比較することが望ましい。
【００５９】
　　Ｉpr＝―Ｖpr（Ｃｐ／Δｔ）
　　Ｉin＝―Ｖｏ（Ｃｐ／Δｔ）
　この２つの式から信号発生率δを求めると次のようになる。
【００６０】
　　δ＝１―（Ｉin／Ｉpr）
　以上をまとめると、計測結果は次式と等価となる。
【００６１】
　　δ＝１―（Ｖin／Ｖpr）
　以上の動作を繰り返すことで、荷電粒子ビームの走査領域に対する走査回数ごとの計測値を得ることができる。
【００６２】
　図４は他の実施の形態を示している。この実施の形態では、積分器を構成する容量として、増幅器側に基準容量のコンデンサＣｓを設けるようにしている。また、基準容量のリセット手段として、スイッチＳ１，Ｓ２が設けられている。信号検出用増幅器は、試料室外に設ける必要はなく、試料裏面に配置される電極プレート付近に配置しても良い。
【００６３】
　また、試料裏面に配置される電極プレートと試料ステージとの間に増幅器回路のグラウンドと同一のポテンシャルを有する配線を行ない、ステージグラウンドと隔離することで、ＳＮ比を向上させることができる。なお、試料裏面の容量をバッファとして、前置増幅器回路１３の入力端子と出力端子の間に計測基準容量（Ｃｓ）を設けるようにしたが、この場合、Ｓ１，Ｓ２によるリフレッシュ、読み込みタイミングをブランキング動作にリンクさせることなく制御しても良い。この実施の形態における各信号のタイミング図を図５に示した。
【００６４】
　以上説明した実施の形態においては、試料内を移動する電荷を試料裏面に構成する容量成分で蓄積し、この容量成分を、ミラー積分回路で積分後計測する等の手段により測定するようにしたので、計測ノイズを低減することができる。
【００６５】
　また、荷電粒子ビームの走査タイミングと計測タイミングを一致させることにより、計測結果が各走査フィールドごとの結果として判定できる。更に、ミラー積分後計測することで、積分時間を長くすることにより、より小さな電荷変化も精度良く計測することができる。
【００６６】
　更にまた、電荷の計測を試料面への荷電粒子ビーム照射が行われていないタイミング（ブランキング期間）に行なうことで、試料内での信号変化が一定の状況で計測可能となる。そして、計測したデータを照射電流で規格化し、かつ信号発生率データとして比較することで、照射電流量に依存しないデータ比較を実施することができる等の効果が得られる。
【００６７】
　この結果、図１、図２を用いて説明した本発明の一実施の形態としてのホールの検査装置により、ホールの底面状態の変化を高感度で検出することができる。しかしながら、半導体デバイスのデザインルールが急速な進行を遂げ、例えば、コンタクトホールの小径化が進み、アスペクト比がよりおおきくなり続けていくことが予測され、そのような場合でも、ホールの開口度の検査を高い精度で行なう必要がある。
【００６８】
　また、デバイス製造工程のエッチング、洗浄、打ち込み、研磨等の工程に起因するパラメータの変動や、面内の不均一性が半導体製品の歩留まり低下や経年変化による不良品増加を引き起こしている。原因となる問題点も、デザインルールと同様に微細化が進んでいる。例えば、ホールの接触抵抗値のばらつきにおいて、今まで問題視していなかったレベルのばらつきが今後の半導体製品では、重大な欠陥に発展する可能性を秘めていることが指摘されている。そのため、更に精度を向上させた検査装置を提供することが要求されている。以下、図１、図２で示した実施の形態に比べて、より高い精度の検査装置の実施の形態について説明する。
【００６９】
　その前に、容量の検出系の構成と動作について少し詳しく説明する。図６は容量成分の検出系を示している。図中ＯＬは対物レンズであり、Ｒｗはウェハと接触する電極間の抵抗、Ｃｗはウェハの容量、Ｃｈはウェハと裏面電極間の容量、Ｃｓは裏面電極とその構成母材間の容量である。この図６に示した吸収電流検出系では、ウェハの容量Ｃｗとウェハと裏面電極間の容量Ｃｗの変動に応じて２種の信号Ｉａ，Ｉｂが得られる。
【００７０】
　吸収電流値としては、ウェハ３の容量Ｃｗと、ウェハ３と裏面電極７間の容量Ｃｈとの間の第１の検出系Ｄａから得られる信号Ｉａと、裏面電極とその構成母材間の容量Ｃｓとの間の第２の検出系Ｄｂから得られる信号Ｉｂとを、加算器２９により加算した信号が用いられる。その関係式は、入射電子流をＩp、２次電子流をＩse、反射電子流をＩbe、吸収電流をＩabとすると、次のように表される。
【００７１】
　　Ｉab＝Ｉp−（Ｉse＋Ｉbe）＝Ｉａ＋Ｉｂ　　…　（１）
　しかしながら、現実的には、ウェハはステージ上に載置されるため、図に示すように、裏面電極とその構成母材間の容量Ｃｓを介して、ステージ（チャンバ等の周辺部材を含む）へのリーク電流Ｉｓが発生する。したがって、吸収電流値は、次のように表される。
【００７２】
　　Ｉab＝Ｉp−（Ｉse＋Ｉbe＋Ｉｓ）＝Ｉａ＋Ｉｂ−Ｉｓ　　…　（２）
　ここで、図６の状態において、Ｃｈ≦Ｃｓであり、Ｒｗ＝∞の場合、前記（２）式は次のように書き変えることができる。
【００７３】
　　Ｉab＝Ｉａ＋Ｉｂ−Ｉｓ＝０＋小−大＝負
　この結果、Ｉａ：Ｉｂの検出比率が０：１００となり、Ｉｓの影響度合いが大きくなる。このような状態で吸収電流を検出すると、Ｃｓが大きい場合、Ｉｓが大きくなり、計測電流の絶対値が少なくなり、増幅器をハイゲインにせざるを得ず、相対的にノイズ等に非常に敏感とならざるを得ない。よって、精度の高い吸収電流の計測が困難となる。
【００７４】
　また、ウェハの種類や製作工程の相違により、ウェハと接触する電極間の抵抗Ｒｗは変化する。高抵抗接触（Ｒｗ＝∞）の場合は、電流の計測が不可能となるケースも生じた。更に、ウェハの接触圧により、Ｒｗの値は変化し、計測の再現性が不安定となるなどの問題も生じていた。
【００７５】
　このような問題を解決するためには、図６に示した等価回路構成で、裏面電極とその構成母材間の容量Ｃｓの値を無視できるレベルまで小さくすれば良い。すなわち、Ｃｈ≫Ｃｓの状態とすることにより、リーク電流値Ｉｓが小さくなり、逆に計測電流が大きくなり、ノイズの影響を受けにくくなるため、精度の高い吸収電流の計測を行うことが可能となる。
【００７６】
　図７の構成は、図６の実施の形態の変形であり、Ｃｓの値は充分に小さくし、無視できるレベルとしている。そして、ＩａとＩｂとを同一の増幅器３０によって混合して計測することができるように構成している。この結果、不安定パラメータであるＲｗの変動を無視する検出系を実現することができる。なお、Ｉａの信号線とＩｂの信号線のそれぞれにスイッチＳ１，Ｓ２を設けているので、Ｉａ，Ｉｂ，Ｉａ＋Ｉｂをそれぞれ選択して検出可能としている。
【００７７】
　図８に示した実施の形態でも、図７に示した実施の形態と同様に、Ｃｓの値は充分に小さくし、無視できるレベルとしている。そして、ＩａとＩｂとを別々の増幅器３１，３２に供給しそれぞれの信号を増幅後に任意の信号処理が行なえるように構成した。例えば、ＩａとＩｂとを別々に計測し、比率を検証することによって、Ｒｗを予測することが可能となる。
【００７８】
　さて、図１．図２に示した実施の形態では、ウェハ試料３の裏面に所定の間隔を保って電極７を配置し、ウェハ試料表面の電荷の変化を、ウェハ試料３と容量結合された電極７に流れる電流を計測することによって検出するように構成している。ウェハ試料３の吸収電流量を検出する電極として、図９に示すように、ウェハ試料３の周辺にウェハ試料３を取り囲むように配置された電極３５を用いても同様な効果が達成できる。
【００７９】
　図９において、電極３５とウェハ試料３との間の距離Ｌは、一定の値に維持される。ウェハ試料３に電子ビームを照射することによって生じた吸収電流、すなわち、試料に蓄積される電荷は、電極３５と試料３との間の空間距離と真空による静電容量により、検出器として動作する電極３５によって検出される。電極３５によって検出された信号は、増幅器３６に供給される。なお、電極の検出感度を決める結合容量は、試料自身の誘電率と試料３と検出器である電極３５との間の距離に依存する。
【００８０】
　図１０の実施の形態では、試料３と電極３５との間の距離を所定の値Ｌに維持するため、試料位置を微調整するための４本のガイドピンＧ１〜Ｇ４が設けられている。各ガイドピンの一方の先端は、ウェハ試料３の側部に当接しており、ガイドピンを図中矢印方向に微動させることにより、試料３と電極３５との間の距離を微動させることができ、試料３と電極３５との間の距離を所定の値Ｌに保つように構成されている。この結果、適正にステージにセットされた試料３と電極３５との間の結合容量Ｃｈは、試料と電極との間の距離が変化することによって変動することが防止される。
【００８１】
　また、各ガイドピンは導電性部材によって形成され、各ガイドピンの他端は、増幅器３７に接続されている。この結果、試料３からの電荷は各ガイドピンを介して増幅器３７供給される。増幅器３７によって増幅された信号は、計測器３８を介して、データ処理装置３９、データ判定処理ユニット４０に供給される。なお、電極３５によって検出された信号は、増幅器３６を介して計測器３８に供給される。
【００８２】
　この実施の形態では、ガイドピンＧ１〜Ｇ４を試料３に当接させるように構成したので、試料内の電荷を直接計測することができる。更に、ガイドピンからの信号と、電極３５からの信号を別々に検出できるように構成したので、データ処理装置３９，データ判定処理ユニット４０によって、ウェハ試料３の帯電等の状況を判断する処理も行なうことができる。もちろん、電極３５からの検出信号とガイドピンＧ１〜Ｇ４によって検出された信号を計測器３８で加算し、加算された値を被検査試料３において計測された総電荷量として用いることができる。
【００８３】
　また、試料電荷検出器として動作する電極３５からの信号が０の時、試料の裏面が例えば、図１に示した電極プレート７に接触しているか、もしくは、試料周辺においてガイドピンが試料に接触していることを判断することができる。逆に、電極３５からの信号が０以外の時、試料の裏面、もしくは試料周辺におけるガイドピン接触部分が接触抵抗を有していると判断することができる。
【００８４】
　更に、検出信号の処理をデータ処理装置３９で行い、その処理結果に基づいてデータ判定処理ユニット４０で各種判断を行うように構成されているので、例えば、試料電荷検出器としての電極３５からの検出信号が、荷電粒子ビーム照射直後に信号を検出し、その後検出値が０になったような場合、試料３が高誘電率の物質で形成されていると判定することができる。
【００８５】
　図１０に示した本発明の実施の形態では、更に次の検査を行なうことができる。すなわち、試料電荷検出器としての電極３５からの信号が０の時、試料３の裏面もしくは試料３の周辺部において、ガイドピンＧ１〜Ｇ４が接触していると判断することができる。逆に、試料電荷検出器としての電極３５からの信号が０以外の時、試料３の裏面もしくは試料３の周辺部において、ガイドピンＧ１〜Ｇ４の接触部分が接触抵抗を有していると判断することができる。
【００８６】
　なお、これらの判断は、図１０に示した信号処理系により、次のように行われる。すなわち、電極３５で検出された信号と、ガイドピンＧ１〜Ｇ４によって検出された信号をそれぞれ増幅器３６および３７によって増幅した後，計測器３８により、それぞれの信号の電流量が計測される。計測器３８により計測された２種の信号の電流値は、データ処理装置３９において記憶され、記憶されたデータは、データ判定処理ユニット４０に供給される。データ処理判定処理ユニット４０は、電極３５で検出された信号と、ガイドピンＧ１〜Ｇ４によって検出された信号の２種の電流値データにより、例えば、試料３とガイドピンとが接触しているか、試料のガイドピン接触部分が接触抵抗を有しているか等の判断を行う。なお、判断結果については、図示していないがプリンターによって打ち出されるか、液晶ディスプレイなどの表示装置上に表示される。
【００８７】
　さて、図１０の構成においては、試料電荷検出器としての電極３５からの信号を増幅器３６を介して計測器３８に供給し、試料電荷に応じた信号を検出している。この図１０の構成において、試料３に電子ビームなどの荷電粒子ビームを照射した場合、そのビーム照射の直後に所定の値以上の電流信号を検出し、その後検出値が０になる場合がある。
【００８８】
　図１１はこのような検出信号波形を示しており、横軸は時間（ｔ）、縦軸は電流値である。この検出信号波形図で、時刻Ｔ１において荷電粒子ビームを試料に照射しており、荷電粒子ビームの照射と同時に試料電荷検出信号が急激に立ち上がる。時刻Ｔ１から、検出信号の最大値が検出された時刻Ｔ２までが信号の立ち上がり時間ｔ１である。検出信号は、最大値まで急激に立ち上がるが、最大値を過ぎると、比較的ゆっくりと減少し、時刻Ｔ３になると検出信号は０となる。この時刻Ｔ２から時刻Ｔ３までが信号の立下り時間ｔ２である。
【００８９】
　この図１１に示した波形のように、荷電粒子ビームの照射と同時に信号が立ち上がり、その後検出信号が０になるような場合は、試料３が高誘電率の物質で形成されていると判断することができる。この判断は、データ判定処理ユニット４０において行なう。
【００９０】
　また、図１２に示すように、被検査試料３の表面に誘電膜４５が形成されていることが分かっている場合、図１１のような信号が検出されると、試料表面の誘電膜４５の厚さが厚いと判断することができる。この誘電膜の誘電率は、検出信号の最大値Ｓｍによって求めることも可能であり、また、各種の試料を測定し、各試料ごとの測定時の検出信号の最大値を比較することによって、各種試料の誘電率の大小の様子を知ることができる。
【００９１】
　このような誘電率の試料ごとの比較は、検出信号の立ちあがり時間ｔ１によって行なうことができる。すなわち、誘電率の高い試料ほど立ち上がり時間ｔ１が短くなる。また、誘電率の試料ごとの比較は、検出信号の立ち下がり時間ｔ２によって行なうことができる。すなわち、誘電率の高い試料ほど立ち下がり時間ｔ２が短くなる。更に、誘電率の試料ごとの比較は、検出信号の半値幅Ｗによって行なうことができる。すなわち、誘電率の高い試料ほど検出信号の半値幅Ｗが小さくなる。
【００９２】
　次に、試料３の裏面、もしくは、ガイドピンの試料接触面に絶縁膜が形成されているか、また、絶縁膜が形成されている場合の絶縁膜の厚さの判定を行なう方法について説明する。この判定を行う場合も、図１０に示した構成が使用される。まず、試料電荷検出器としての電極３５とガイドピンＧ１〜Ｇ４の両者で信号が検出された時、試料裏面、もしくは、ガイドピンの試料接触面に絶縁膜が形成されていると判定することができる。
【００９３】
　また、試料表面に形成された絶縁膜の厚さを判定する場合には、電極３５によって検出される信号強度とガイドピンで検出される信号強度の比率によってその判定を行なうことができる。すなわち、電極３５によって検出される信号強度の割合が大きいほど絶縁膜の厚さが厚いと判定することができる。絶縁膜の厚さの絶対値を求める場合には、事前に信号強度の比率と絶縁膜の厚さとの関係をテーブルの形式で記憶しておき、実際の検査時には、２種の信号強度の比率を求め、記憶されているテーブルから、対応する絶縁膜の厚さを読み取れば良い。
【００９４】
　ところで、電極３５からの検出信号とガイドピンＧ１〜Ｇ４によって検出された信号を、それぞれ増幅器３６、３７によって増幅した後計測器３８で加算し、加算された値を被検査試料３において計測された総電荷量として用いることができることを前に説明した。この総電荷量とその総電荷量を計測した際に試料に照射した荷電粒子ビームの電流の総量との比較を行うことにより、被検査試料３の表面における誘電膜の膜圧を比較推定することができる。
【００９５】
　次に、試料３に荷電粒子ビームを照射し、前記総電荷量を一定時間計測し、計測時間内における総電荷量の変化率Ｒを求める。図１３は総電荷量の変化率Ｒの時間変化を示しており、時刻Ｔ１で試料に荷電粒子ビームが照射される。この荷電粒子ビーム照射後の総電荷量の変化率が計測され、変化率Ｒが事前に定めたしきい値Ｓ以下になったとき（Ｔ４）、変化率の計測を終了させる。
【００９６】
　この変化率Ｒが事前に定めたしきい値Ｓ以下になったとき（Ｔ４）の総電荷量を収集して記憶し、標準試料や各種異なった試料で、同様な方法により取得された総電荷量との比較を行なう。この比較処理はデータ判定処理ユニット４０において行なわれ、被検査試料３の各種項目の検査を行なうことができる。
【００９７】
　図１４は本発明の他の実施の形態を示しており、電極３５からの検出信号とガイドピンＧ１〜Ｇ４によって検出された信号を、それぞれ増幅器３６、３７によって増幅した後、画像化処理ユニット４６に供給する。画像化処理ユニット４６では、２種の信号について映像信号として用いることができるように、輝度やコントラスト調整が行なわれる。
【００９８】
　画像化処理ユニット４６において信号処理が行なわれた映像信号は、陰極線管や液晶ディスプレイ等の表示装置４７に供給されることから、表示装置４７には試料３の特定領域における荷電粒子ビームの２次元走査に基づいて、電極３５によって検出された信号に基づく試料の表面像が得られる。また、映像信号として、ガイドピンＧ１〜Ｇ４によって検出された信号を用いても、同様に試料の表面像が得られる。もちろん、映像信号として、電極３５によって検出された信号と、ガイドピンＧ１〜Ｇ４によって検出された信号とを加算した信号を用いても、同様に試料の表面像が得られる。このようにして得られた像は、試料内で発生する電荷移動を検出し、その検出信号に基づいたものであることから、ホールの底面状態の変化を高精度で映像化することができる。
【図面の簡単な説明】
【００９９】
【図１】本発明に基づく試料室内に配置されるウェハ試料とプレート電極を示す図である。
【図２】図１の構成における容量を計測する回路の一例を示す図である。
【図３】図２の計測回路のタイミング図である。
【図４】図１の構成における容量を計測する他の回路例を示す図である。
【図５】図４の計測回路のタイミング図である。
【図６】試料に吸収された電荷を計測する等価回路の一例を示す図である。
【図７】試料に吸収された電荷を計測する等価回路の他の例を示す図である。
【図８】試料に吸収された電荷を計測する等価回路の他の例を示す図である。
【図９】試料の周囲に試料電荷検出器として動作する電極を配置した、本発明の他の実施の形態を示す図である。
【図１０】図９に示した構成において、試料位置の微調整を可能とする本発明の実施の形態を示す図である。
【図１１】試料に荷電粒子ビームを照射した際の吸収電流値の時間変化を示す図である。
【図１２】試料表面に誘電膜が形成されたときの信号処理を行なう実施の形態を示す図である。
【図１３】試料に荷電粒子ビームを照射した際の総電荷量の変化率曲線を示す図である。
【図１４】試料の吸収電流に基づいて試料像を表示する実施の形態を示す図である。
【符号の説明】
【０１００】
　　１　電子銃
　　２　ブランキング電極
　　３　偏向電極
　　４　アパーチャ
　　５　ナイフエッジ
　　６　検出器
　　７　装置コントロール部
　　８　データコントロール部
　　９　ブランキング増幅器
　１０　ＤＡ変換増幅器
　１１　前置増幅器
　１２　信号処理部
　１３　補正テーブル
　１４　加算器
　１５　位置補正回路
【図１】
2004146802.tif 000003
【図２】
2004146802.tif 000004
【図３】
2004146802.tif 000005
【図４】
2004146802.tif 000006
【図５】
2004146802.tif 000007
【図６】
2004146802.tif 000008
【図７】
2004146802.tif 000009
【図８】
2004146802.tif 000010
【図９】
2004146802.tif 000011
【図１０】
2004146802.tif 000012
【図１１】
2004146802.tif 000013
【図１２】
2004146802.tif 000014
【図１３】
2004146802.tif 000015
【図１４】
2004146802.tif 000016